(57)【特許請求の範囲】
【請求項１】
利用者を被写体として撮影し、撮影して得られた画像に対して利用者に編集を行わせ、
撮影して得られた前記画像または編集済みの画像を利用者に提供する画像撮影装置において、
第１の高さと、前記第１の高さより高い第２の高さにその高さを調整可能なカメラであって、前記第２の高さになるように高さが調整された場合、撮影範囲の下限が前記第１の高さのときの撮影範囲の下限よりも低い位置になるように、前記第１の高さになるように高さが調整された場合よりも斜め下に光軸を向けて撮影を行うカメラと、
前記第２の高さになるように高さが調整された前記カメラによって撮影された画像全体のうち、固定の範囲として予め設定された下から所定の幅の範囲を取り除き、所定の範囲を抽出するようにトリミングを行う抽出手段と、
前記第１の高さの前記カメラによって撮影が行われた場合、前記カメラにより撮影された画角の画像を表示し、前記第２の高さの前記カメラによって撮影が行われた場合、前記抽出手段により抽出された範囲の画像を表示する表示手段と
を備える画像撮影装置。
【請求項２】
前記抽出手段は、前記第２の高さになるように高さが調整された前記カメラによって取り込まれた動画像を構成するそれぞれの静止画像に対してトリミングを行い、
前記表示手段は、前記抽出手段によりトリミングが行われた静止画像から構成される動画像を表示する
請求項１に記載の画像撮影装置。
【請求項３】
前記抽出手段は、トリミング後の画像の縦横の比率が、トリミング前の原画像の縦横の比率と同じ比率になるようにトリミングを行う
請求項１または２に記載の画像撮影装置。
【請求項４】
撮影を行う利用者と対向する、前記画像撮影装置の筐体の面の一部を構成するパネルと、
上から、第１のストロボ、前記カメラの順に取り付けられ、前記第１のストロボと前記カメラを一体的に上下方向に移動させるユニットであって、筐体内側に設けられ、前記パネルに形成される開口部から構成の一部が外部に露出するユニットと、
前記ユニットが上方向に移動することによって前記第１のストロボが前記パネルの内側に隠れている場合、前記第１のストロボを発光させないように制御する制御手段と
をさらに備える請求項１乃至３のいずれかに記載の画像撮影装置。
【請求項５】
前記パネルに形成される開口部より高い位置に固定して取り付けられ、前記カメラによる撮影と同時に発光する第２のストロボをさらに備える
請求項４に記載の画像撮影装置。
【請求項６】
利用者を被写体として撮影し、撮影して得られた画像に対して利用者に編集を行わせ、撮影して得られた前記画像または編集済みの画像を利用者に提供する画像撮影装置の情報処理方法において、
第１の高さと、前記第１の高さより高い第２の高さにその高さを調整可能なカメラであって、前記第２の高さになるように高さが調整された場合、撮影範囲の下限が前記第１の高さのときの撮影範囲の下限よりも低い位置になるように、前記第１の高さになるように高さが調整された場合よりも斜め下に光軸を向けるカメラにより撮影を行い、
前記第１の高さの前記カメラによって撮影が行われた場合、前記カメラにより撮影された画角の画像を表示し、
前記第２の高さの前記カメラによって撮影が行われた場合、前記第２の高さになるように高さが調整された前記カメラによって撮影された画像全体のうち、固定の範囲として予め設定された下から所定の幅の範囲を取り除き、所定の範囲を抽出するようにトリミングを行って、抽出した範囲の画像を表示する
ステップを含む情報処理方法。
【発明の詳細な説明】
【技術分野】
【０００１】
本発明は、画像撮影装置、および情報処理方法に関し、特に、上方にあるカメラを使って撮影を行う場合であっても、満足のいく画像を利用者が得ることができるようにした画像撮影装置、および情報処理方法に関する。
【背景技術】
【０００２】
従来の人物（証明）写真機においては、被写体である利用者の正面に設置されたカメラで撮影された撮影画像を、写真の使用目的に応じたサイズのものにトリミングすることができるようになされている（例えば、特許文献１）。トリミングによって抽出する範囲は被写体の顔を中心とする範囲とされており、利用者は、複数用意されている範囲の中から、所定の範囲を自ら選択することができる。
【０００３】
【特許文献１】特開平１０−１６１２３４号公報
【発明の開示】
【発明が解決しようとする課題】
【０００４】
上述したような抽出の仕方のトリミングを、そのまま、写真シール機でのトリミングに適用した場合、被写体の写りに関係なく、顔部分を中心にトリミングすることになるため、トリミング後の画像は、被写体である利用者の意図する、よい写りの撮影画像になるとは限らない。
【０００５】
ここで、写真シール機とは、娯楽（遊戯）施設等に設置されるものであり、写真シール機により提供される１回のゲームは、被写体の撮影、撮影画像に対する編集（落書き）、編集が施された画像もしくは撮影画像のシール紙への印刷、という流れで終了する。
【０００６】
利用者が見上げて撮影するようにカメラが上方に設置されており、特に、カメラの画角に全身が収まるような位置に立って利用者が撮影を行っている場合、画像上では、足下の方に向かって徐々に細く写ってしまい、上半身とのバランスが悪くなる。
【０００７】
本発明はこのような状況に鑑みてなされたものであり、上方にあるカメラを使って撮影を行う場合であっても、満足のいく画像を利用者が得ることができるようにするものである。
【課題を解決するための手段】
【０００８】
本発明の一側面の画像撮影装置は、利用者を被写体として撮影し、撮影して得られた画像に対して利用者に編集を行わせ、撮影して得られた前記画像または編集済みの画像を利用者に提供する画像撮影装置において、第１の高さと、前記第１の高さより高い第２の高さにその高さを調整可能なカメラであって、前記第２の高さになるように高さが調整された場合、撮影範囲の下限が前記第１の高さのときの撮影範囲の下限よりも低い位置になるように、前記第１の高さになるように高さが調整された場合よりも斜め下に光軸を向けて撮影を行うカメラと、前記第２の高さになるように高さが調整された前記カメラによって撮影された画像全体のうち、固定の範囲として予め設定された、下から所定の幅の範囲をトリミングによって取り除き、所定の範囲を抽出するようにトリミングを行う抽出手段と、前記第１の高さの前記カメラによって撮影が行われた場合、前記カメラにより撮影された画角の画像を表示し、前記第２の高さの前記カメラによって撮影が行われた場合、前記抽出手段により抽出された範囲の画像を表示する表示手段とを備える。
【０００９】
前記抽出手段には、前記第２の高さになるように高さが調整された前記カメラによって取り込まれた動画像を構成するそれぞれの静止画像に対してトリミングを行わせ、前記表示手段には、前記抽出手段によりトリミングが行われた静止画像から構成される動画像を表示させることができる。
【００１０】
前記抽出手段には、トリミング後の画像の縦横の比率が、トリミング前の原画像の縦横の比率と同じ比率になるようにトリミングを行わせることができる。
撮影を行う利用者と対向する、前記画像撮影装置の筐体の面の一部を構成するパネルと、上から、第１のストロボ、前記カメラの順に取り付けられ、前記第１のストロボと前記カメラを一体的に上下方向に移動させるユニットであって、筐体内側に設けられ、前記パネルに形成される開口部から構成の一部が外部に露出するユニットと、前記ユニットが上方向に移動することによって前記第１のストロボが前記パネルの内側に隠れている場合、前記第１のストロボを発光させないように制御する制御手段とをさらに設けることができる。
前記パネルに形成される開口部より高い位置に固定して取り付けられ、前記カメラによる撮影と同時に発光する第２のストロボをさらに設けることができる。
【００１１】
本発明の一側面の情報処理方法は、利用者を被写体として撮影し、撮影して得られた画像に対して利用者に編集を行わせ、撮影して得られた前記画像または編集済みの画像を利用者に提供する画像撮影装置の情報処理方法において、第１の高さと、前記第１の高さより高い第２の高さにその高さを調整可能なカメラであって、前記第２の高さになるように高さが調整された場合、撮影範囲の下限が前記第１の高さのときの撮影範囲の下限よりも低い位置になるように、前記第１の高さになるように高さが調整された場合よりも斜め下に光軸を向けるカメラにより撮影を行い、前記第１の高さの前記カメラによって撮影が行われた場合、前記カメラにより撮影された画角の画像を表示し、前記第２の高さの前記カメラによって撮影が行われた場合、前記第２の高さになるように高さが調整された前記カメラによって撮影された画像全体のうち、固定の範囲として予め設定された下から所定の幅の範囲を取り除き、所定の範囲を抽出するようにトリミングを行って、抽出した範囲の画像を表示するステップを含む。
【００１２】
本発明の一側面においては、前記第１の高さの前記カメラによって撮影が行われた場合、前記カメラにより撮影された画角の画像が表示され、前記第２の高さの前記カメラによって撮影が行われた場合、第１の高さより高い第２の高さになるように高さが調整されたカメラによって撮影された画像全体のうち、固定の範囲として予め設定された下から所定の幅の範囲を取り除き、所定の範囲を抽出するようにトリミングが行われ、抽出された範囲の画像が表示される。
【発明の効果】
【００１３】
本発明の一側面によれば、上方にあるカメラを使って撮影を行う場合であっても、利用者は、満足のいく画像を得ることができる。
【発明を実施するための最良の形態】
【００１４】
図１は、本発明の一実施形態に係る写真シール機１の外観の例を示す図である。
【００１５】
写真シール機１は、代金を支払った利用者に撮影や編集等の作業をゲームとして行わせ、撮影・編集した画像を、シール紙に印刷して利用者に提供するゲーム機である。写真シール機１は、通常、ゲームセンタなどの店舗に設置される。利用者は、１人であることもあるし、複数人のグループであることもある。
【００１６】
写真シール機１の利用者は、代金を支払った後、写真シール機１に設けられるカメラを用いて撮影作業を行い、得られた撮影画像に対してペン画像やスタンプ画像を入力するなどして編集（落書き）作業を行う。また、利用者は、編集作業によって自分好みのものにデザインした撮影画像をシール紙に印刷し、画像が印刷されたシール紙を受け取る。
【００１７】
このように、写真シール機１により提供される１回のゲームは、撮影、撮影画像に対する編集、編集が施された画像もしくは撮影画像のシール紙への印刷、という流れで進められる。
【００１８】
図１に示されるように、写真シール機１は、基本的に、撮影ユニット１１と編集ユニット１３が並べて設置されることによって構成される。
【００１９】
撮影ユニット１１は、利用者を被写体として撮影する機能を有しており、内部に形成される撮影空間において利用者に撮影を行わせる。撮影ユニット１１は、前方ユニット１１Ａと後方ユニット１１Ｂが、撮影空間の内部を照らす照明として用いられる天井ストロボ１２を支持する部材で連結されることによって構成される。
【００２０】
前方ユニット１１Ａは、撮影空間にいる利用者が撮影を行うときにその前方にくる側のユニットである。前方ユニット１１Ａの撮影空間側の面には、利用者を撮影するカメラや撮影に関する各種の操作を受け付けるタッチパネルモニタなどが設けられる。
【００２１】
後方ユニット１１Ｂは、撮影空間にいる利用者が撮影を行うときにその後方にくる側のユニットである。後方ユニット１１Ｂは、撮影を行う利用者の背景の役割を果たす。後方ユニット１１Ｂの撮影空間側の面には、撮影時に利用者が自分の背景として利用する可動式のカーテンが設けられるようにしてもよい。
【００２２】
編集ユニット１３は、撮影画像に対する編集機能を有しており、編集ユニット１３の前方に形成される、第１の編集空間である編集空間Ａにおいて利用者に編集を行わせる。編集ユニット１３の編集空間Ａ側の斜面にはタブレット内蔵モニタやタッチペンからなる編集部Ａが設けられる。編集空間Ａにいる利用者は、編集部Ａに用意されるタブレット内蔵モニタに表示される撮影画像に対して、タッチペンを用いて編集を行う。
【００２３】
図１には示されていないが、編集ユニット１３を挟んで編集空間Ａの反対側には第２の編集空間である編集空間Ｂが形成される。編集空間Ａ側と同様に、編集ユニット１３の編集空間Ｂ側の斜面にはタブレット内蔵モニタやタッチペンからなる編集部Ｂが設けられる。
【００２４】
すなわち、撮影作業を終えた２組の利用者が同時に編集作業を行うことができるようにするために、編集を行うための構成が編集ユニット１３の２つの斜面にそれぞれ用意されている。これにより、写真シール機１は、１組の利用者に撮影作業を行わせると同時に、２組の利用者に編集作業を行わせることができる。
【００２５】
図２は、図１の写真シール機１を編集ユニット１３側から見た斜視図である。
【００２６】
図２に示されるように、編集ユニット１３は、前方ユニット１１Ａの背面（撮影空間側の面と反対の面）に接した状態で設置される。編集ユニット１３の編集空間Ａ側の斜面に設けられる編集部Ａにはタブレット内蔵モニタ２１Ａが設けられ、その左右に、タッチペン２２Ａ1，２２Ａ2がそれぞれ用意される。編集空間Ａにいる利用者が２人のグループである場合、一方がタッチペン２２Ａ1を用い、他方がタッチペン２２Ａ2を用いるなどして、それぞれの利用者が同時に編集を行うことができる。
【００２７】
編集ユニット１３の編集空間Ｂ側の斜面にも編集部Ａと同様の構成を有する編集部Ｂが設けられる。編集空間Ａにいる利用者と編集空間Ｂにいる利用者は、編集ユニット１３を挟んで対向する状態で編集作業を行うことになる。
【００２８】
また、図２に示されるように、編集ユニット１３の、撮影ユニット１１が接する面と対向する面の下方にはシール紙排出口２３が設けられる。編集済みの画像が印刷されたシール紙は、このシール紙排出口２３から排出される。利用者は、シール紙排出口２３の前方でシール紙が排出されるのを待ち、排出されたシール紙を受け取って一連のゲームを終了させる。
【００２９】
このような構成を有する撮影ユニット１１と編集ユニット１３は、撮影作業を行っている利用者の様子を外部からのぞくことができないように、あるいは、編集作業を行っている利用者の様子を外部からのぞくことができないように、その全体がカーテンで囲まれる。カーテンの外側には写真シール機１の機種名や機種のイメージを表すデザインが施される。
【００３０】
図３は、写真シール機１を上から見た平面図である。写真シール機１によって提供される一連のゲームの流れと、ゲームを行う利用者の移動について図３を参照して説明する。
【００３１】
前方ユニット１１Ａと後方ユニット１１Ｂの間に形成される撮影空間において撮影作業を終えた利用者は、図３の矢印Ａ1に示されるようにして編集空間Ａに、または、矢印Ａ2に示されるようにして編集空間Ｂに移動する。例えば、撮影作業を終えた利用者に対しては、編集空間Ａと編集空間Ｂのうち、そのとき空いている方の編集空間に移動することが案内される。利用者は、案内に従って編集空間に移動し、編集作業を行う。
【００３２】
編集作業を終えた利用者は、シール紙の分割数の設定（１枚のシール紙に印刷する画像の数や画像の大きさの設定）などを行った後、画像の印刷を開始させる。印刷中にミニゲームなどを行った後、利用者は、矢印Ａ3に示されるように編集空間Ａから、または矢印Ａ4に示されるように編集空間Ｂからシール紙排出口２３の前方の受取領域に移動し、シール紙を受け取って一連のゲームを終了する。
【００３３】
次に、各ユニットの構成について説明する。
【００３４】
図４は、前方ユニット１１Ａの撮影空間側の面の構成例を示す図である。撮影空間にいる利用者は、基本的に、図４に示される面に向かって撮影作業を行う。
【００３５】
図４に示されるように、前方ユニット１１Ａの撮影空間側の面の中央上方には、前方ユニット１１Ａの筐体の面の一部を構成する部材である正面パネル３１が設けられる。正面パネル３１の内側（前方ユニット１１Ａの筐体内部）にはカメラ周りユニット３２が設けられており、そのカメラ周りユニット３２の構成の一部が、正面パネル３１に形成される開口部から外部に露出する。
【００３６】
カメラ周りユニット３２には、撮影空間にいる利用者を撮影するカメラ５１が取り付けられる。カメラ５１はCCD(Charge Coupled Device)などの撮像素子を備えるデジタルカメラにより構成される。
【００３７】
カメラ周りユニット３２のカメラ５１の上には、撮影時に発光し、利用者に光を照射するストロボユニット５２が取り付けられ、下には、カメラ５１による取り込み中の画像をリアルタイムで表示する、LCD(Liquid Crystal Display)などよりなるライブビューモニタ５３が取り付けられる。後に詳述するように、カメラ周りユニット３２の移動に応じて、カメラ５１、ストロボユニット５２、ライブビューモニタ５３は一体となって上下方向に移動する。ストロボユニット５２は内部に拡散板を有しており、その表面には透過性のある乳白色の拡散板が設けられている。
【００３８】
正面パネル３１の上方には、斜め下に向けて光を照射する上ストロボユニット３３が設けられる。上ストロボユニット３３が設置されている位置は、正面パネル３１に形成される開口部の上辺より高い位置となる。上ストロボユニット３３の表面には透過性のある乳白色の拡散板が設けられているが、他のストロボユニットとは異なり、ストロボユニットの内部には拡散板が設けられていない。従って、表面にある拡散板だけを透過することになるため、全てのストロボユニットの内部にある発光体の光量が同じ量であるとすると、上ストロボユニット３３の内部にある発光体からの光は、他のストロボユニットの内部にある発光体からの光が照射する範囲と較べて、被写体の狭い範囲に強い光を照射するものになる。
【００３９】
利用者から見て正面パネル３１の左上と右上にはそれぞれ左上ストロボユニット３４と右上ストロボユニット３５が設けられる。左と右にはそれぞれ左ストロボユニット３６と右ストロボユニット３７が設けられ、下方には、斜め上に向けて光を照射する下ストロボユニット３８が設けられる。左上ストロボユニット３４乃至下ストロボユニット３８は、それぞれ、内部に拡散板を有しており、その表面には透過性のある乳白色の拡散板が設けられている。
【００４０】
上ストロボユニット３３乃至下ストロボユニット３８、後述する足元ストロボユニット４２、天井ストロボ１２は撮影時に発光し、利用者に光を照射する。このように、天井ストロボ１２を除いて、カメラ５１を囲むようにしてストロボユニットが配置され、利用者に向けて様々な角度から光を照射するように発光することにより、利用者の顔に影ができるのを防ぐことができる。
【００４１】
上ストロボユニット３３乃至下ストロボユニット３８と足元ストロボユニット４２の内部には複数の蛍光灯も備えられており、ライブビューモニタ５３やタッチパネルモニタ４０に表示されている画像を見やすくしたりして操作性や安全性を確保するため、撮影と同時に発光する時以外は、それらの蛍光灯が撮影空間を常時照らす。
【００４２】
下ストロボユニット３８の左側のスペースは、撮影作業を行う利用者が手荷物等を置くための荷物置き場３９として用いられる。
【００４３】
下ストロボユニット３８の右側には、撮影作業に関する案内などが表示されるタッチパネルモニタ４０が設けられる。利用者は、タッチパネルモニタ４０に表示される案内に従ってタッチパネルモニタ４０の表面を指で直接触れるなどして各種の選択を行い、撮影作業を行う。
【００４４】
タッチパネルモニタ４０の下方には硬貨投入返却口４１が設けられる。利用者は、写真シール機１により提供されるゲームを開始するとき、所定の代金分の硬貨を硬貨投入返却口４１に入れる。
【００４５】
下ストロボユニット３８の下方には足元ストロボユニット４２が設けられる。前方ユニット１１Ａには、撮影作業に関する案内の音声や効果音が出力されるスピーカなども設けられる。
【００４６】
また、図４に示されるように、前方ユニット１１Ａの前方には、床に置くような形でステップ４３が設けられる。後に詳述するように、ステップ４３は、撮影空間にいる利用者がカメラ５１に近づきすぎないように規制する役割を有する。
【００４７】
ここで、カメラ５１の上下方向の移動について説明する。
【００４８】
撮影作業時、利用者は、標準の高さと、標準の高さより高めの高さのうちのいずれかを選択し、選択した高さになるようにカメラ５１の高さを調整することができるようになされている。写真シール機１が主にターゲットとする利用者が１０代後半の女性であり、１０代後半の女性の平均の身長が１５０cm後半であるとすると、カメラ５１の床からの標準の高さは１０代後半の女性の平均的な鼻の高さとほぼ同じ高さである１４００mm程度となる。また、標準の高さより高めの高さは、１０代後半の女性の平均的な身長より少し高い１６００mm程度となる。
【００４９】
以下、適宜、標準の高さにあるカメラ５１を中カメラといい、標準の高さより高めの高さにあるカメラ５１を上カメラという。また、利用者が平均的な身長の１０代後半の女性であるものとして説明する。
【００５０】
図５は、中カメラの状態にあるカメラ５１の近傍を示す図であり、図６は、図５の一点鎖線上の断面図である。図６において、上ストロボユニット３３、下ストロボユニット３８の断面の図示は省略している。
【００５１】
図５に示されるように、正面パネル３１に形成される開口部３１Ａから、カメラ周りユニット３２に取り付けられている構成が外部に露出する。カメラ５１が中カメラの状態にある場合、カメラ周りユニット３２に取り付けられるカメラ５１、ストロボユニット５２、ライブビューモニタ５３の全てが外部から見え、このとき、略直線上に、上から、上ストロボユニット３３、ストロボユニット５２、カメラ５１、ライブビューモニタ５３、および下ストロボユニット３８が並ぶことになる。
【００５２】
カメラ５１は、カメラ周りユニット３２に形成される開口部３２Ａ内に挿入され、図６の位置Ｐを通る、紙面と垂直方向の軸を基準として回動可能とされる。中カメラの状態にあるカメラ５１の光軸は若干斜め下に向けられており、撮影画像は斜め上から若干見下ろして撮影した画像になる。
【００５３】
図５、図６に示されるように中カメラの状態にあるカメラ５１による撮影のタイミングでは、上ストロボユニット３３乃至下ストロボユニット３８、足元ストロボユニット４２、天井ストロボ１２が発光するのと同時にストロボユニット５２も発光し、利用者に光を照射する。
【００５４】
これにより、利用者が例えばカメラ５１に顔を近づけて撮影を行っている場合、ストロボユニット５２が発光することによって顔全体に十分に光がいきわたり、影の部分の少ない、写りのよい画像を撮影することが可能になる。カメラ５１の直上の部分にストロボユニット５２が設けられていないとした場合、カメラ５１とその上方にある上ストロボユニット３３の間にスペースができてしまい、上ストロボユニット３３は発光するものの利用者の顔に適切に光を照射することが難しくなるが、カメラ周りユニット３２にストロボユニット５２が設けられていることにより、顔に均一に光を照射することが可能になる。
【００５５】
カメラ５１が中カメラの状態で撮影する場合、ストロボユニット５２がカメラ５１の近くで発光するため、上ストロボユニット３３の光量は、ストロボユニット５２が外部に露出しなくなる、カメラ５１が上カメラの状態にある場合と較べて弱くなるようにしてもよい。
【００５６】
例えば、カメラ５１の高さを高くすることが利用者により指示された場合、前方ユニット１１Ａの内部でカメラ周りユニット３２が上に移動し、それに伴って、カメラ周りユニット３２に取り付けられているカメラ５１、ストロボユニット５２、およびライブビューモニタ５３も上に移動する。
【００５７】
図７は、上カメラの状態にあるカメラ５１の近傍を示す図であり、図８は、図７の一点鎖線上の断面図である。図８においても、上ストロボユニット３３、下ストロボユニット３８の断面の図示は省略している。
【００５８】
カメラ５１が上カメラの状態にあるとき、ストロボユニット５２は正面パネル３１の内側に隠れ、カメラ周りユニット３２に取り付けられる構成のうち、カメラ５１とライブビューモニタ５３だけが外部に露出した状態になる。カメラ５１の位置を基準とすると、中カメラの状態にあるときにはカメラ５１の直上にはストロボユニット５２がくるが、上カメラの状態にあるときにはカメラ５１の直上には上ストロボユニット３３がくることになる。
【００５９】
図８に示されるように、上カメラの状態にあるとき、カメラ５１の光軸は、中カメラの状態にあるときより斜め下に向けられる。これにより、斜め上から見下ろして撮影する度合いが強まり、意識的にあごを引くのではなく、自然にあごを引いたような利用者の顔を撮影した画像が得られる。あごを引いたような状態で撮影が行われることにより、利用者の顔は、撮影画像上では、正面から撮影したときと較べて小顔に見えることになる。
【００６０】
図７、図８に示されるように上カメラの状態にあるカメラ５１による撮影のタイミングでは、上ストロボユニット３３乃至下ストロボユニット３８、足元ストロボユニット４２、天井ストロボ１２は発光するが、正面パネル３１の内側に隠れてしまっているため、ストロボユニット５２は発光しない。
【００６１】
これにより、例えば利用者がカメラ５１に顔を近づけて撮影を行っている場合、ストロボユニット５２の代わりに上ストロボユニット３３からの光が利用者の顔にあたることになり、利用者の鼻筋を明るくすることができ、鼻筋を白飛びさせた感じの画像を撮影することが可能になる。ストロボユニット５２は面で発光することによって顔全体に光を照射するものであるのに対して、拡散板がない上ストロボユニット３３は、斜め下に向けて強い光を照射するものであるため、ストロボユニット５２の光が多く顔にあたる場合と上ストロボユニット３３の光が多く顔にあたる場合とで異なるイメージの画像が得られることになる。このように、写真シール機１においては、カメラ５１の高さに応じた光を照射して撮影が行われる。
【００６２】
カメラ５１が上カメラの状態にあるときの前方ユニット１１Ａの構成例を図９に示す。
【００６３】
このように、利用者は、カメラ５１の高さを変えて撮影を楽しむことができる。また、利用者は、カメラ５１の高さを変えることによって、イメージの異なる画像を撮影することができる。
【００６４】
なお、撮影時、カメラ５１の高さが音声によってアナウンスされるようにしてもよいし、タッチパネルモニタ４０などに、そのときのカメラ５１の高さと同じ高さから撮影した画像のサンプルが表示されるようにしてもよい。これにより、撮影方法をわかりやすくすることができる。
【００６５】
また、カメラ５１の高さに応じて選択された合成用画像が、カメラ５１により撮影された画像に合成され、得られた合成画像がライブビューモニタ５３などに表示されるようにしてもよい。利用者が上カメラを選択し、カメラ５１に近づいて撮影を行っているときには、カメラ５１により撮影された画像に対して、例えば、撮影された画像の上部に前景画像となる合成用画像が合成されないような合成用画像を用いてもよい。そのようにすることで、撮影された画像の上部には利用者の顔部分が写るため、顔部分に前景画像となる合成用画像がかからず、利用者が満足する撮影画像を得ることができる。
【００６６】
次に、ステップ４３について説明する。
【００６７】
図１０は、前方ユニット１１Ａを上から見た図である。
【００６８】
図１０に示されるように、前方ユニット１１Ａの前方に形成される撮影空間の床に置かれるステップ４３の上面は半円弧状の形状を有する。その形状は、下ストロボユニット３８を上から見たときの形状を外側に広げたものに近く、半円の内角は、点線で示されるカメラ５１の画角以上とされる。ステップ４３の弦側の側面は前方ユニット１１Ａに向けられ、弧側の側面は撮影空間の床に立つ利用者に向けられる。
【００６９】
図１１は、図１０の一点鎖線上のステップ４３の断面図である。
【００７０】
図１１に示されるように、カメラ５１の真下からステップ４３の縁までの水平方向の幅は７５０mmあり、高さは７０mmある。利用者は、図１２に示されるようにステップ４３の側面につま先をあてて立ち位置を決め、撮影を行うことになる。
【００７１】
図１２に示されるようにして利用者がステップ４３の側面につま先をあてて立っているとき、点線で示す上カメラの状態にあるカメラ５１の画角には、利用者の頭の少し上から膝付近までの範囲が収まる。
【００７２】
一方、上述したように平均的な身長を有する１０代後半の女性の利用者が図１３に示されるようにステップ４３の上に立った場合、頭の一部はカメラ５１の画角からはみ出ることになる。また、仮にステップ４３が用意されていないとした場合、顔を大きく写そうとする意識が働くことによって、利用者は図１４に示されるようにカメラ５１に近づきすぎてしまい、あごを上げた状態で撮影を行ってしまうことになる。
【００７３】
ステップ４３の水平方向の幅として、このように、上カメラの状態にあるカメラ５１の画角に利用者の体が適度に収まり、かつ、あごを上げることなく利用者がハイアングルの画像を撮影することができるような幅が選択される。すなわち、ステップ４３の水平方向の幅は、カメラ５１の画角と、ターゲットとする利用者の身長（所定の高さ）によって選択される。
【００７４】
図１５は、カメラ５１が中カメラの状態にあるときの撮影の様子を示す図である。
【００７５】
図１５に示されるように、カメラ５１が中カメラの状態にあり、ステップ４３の側面につま先をあてて立っている利用者が下ストロボユニット３８に手をついた場合、上体は前傾し、直立している場合と較べて、カメラ５１の正面と顔の間に角度がつくことになり、これによっても、自然な姿勢であごを引いたようなハイアングルの画像を撮影することが可能になる。
【００７６】
このようなステップ４３が用意されていることにより、撮影ユニット１１の前方の床に引かれている線などによって立ち位置が案内される場合に較べて、利用者は、目線を床に向けることなく、立ち位置を素早く決めることができる。また、撮影を素早く始めることができる。
【００７７】
このように、ステップ４３は、利用者がカメラ５１に近づきすぎないように規制する機能を有するとともに、カメラ５１と一定の距離を保ち、自然な姿勢であごを引いたような小顔の撮影画像を得ることができるような適切な立ち位置に、素早く立たせる機能を有する。平均的な身長より背の低い利用者であれば、ステップ４３を撮影台として使い、その上に立って撮影を行うようにしてもよい。
【００７８】
図１６は、中カメラの状態にあるカメラ５１の上下方向の画角の例を示す図である。
【００７９】
図１６の横軸はカメラ５１からの距離を表し、縦軸は床からの高さを表す。図１６の位置Ｐ1はカメラ５１の位置を表し、中カメラの状態にあるカメラ５１の床からの高さは１４００mmとされている。図１６の例においては、カメラ５１から利用者の背景までの距離は、カメラ５１から後方ユニット１１Ｂの撮影空間側の面までの距離に相当する１５００mmとされている。位置Ｐ1と位置Ｐ2を結ぶ直線がカメラ５１の画角の上限を示し、位置Ｐ1と位置Ｐ3を結ぶ直線がカメラ５１の画角の下限を示す。
【００８０】
図１６に示されるように、ステップ４３の側面につま先をあてて利用者が立っている場合、直立しているときも、下ストロボユニット３８に手をついて上体を前傾姿勢にしているときも、頭の少し上から足の付け根付近までの範囲が画角に収まる。一方、背面に背中をつけるようにして利用者が直立している場合、頭の上から膝の下付近までの範囲が画角に収まる。
【００８１】
このように、カメラ５１が中カメラの状態にある場合、利用者の立ち位置によって、頭上の余白（背景が写る部分）の幅が異なる。
【００８２】
図１７は、上カメラの状態にあるカメラ５１の画角の例を示す図である。
【００８３】
図１７の位置Ｐ11はカメラ５１の位置を表し、上カメラの状態にあるカメラ５１の床からの高さは１６００mmとされている。位置Ｐ11と位置Ｐ12を結ぶ直線がカメラ５１の画角の上限を示し、位置Ｐ11と位置Ｐ13を結ぶ点線がカメラ５１の画角の下限を示す。
【００８４】
図１７に示されるように、ステップ４３の側面につま先をあてて利用者が直立している場合、頭の少し上から膝の上付近までの範囲が画角に収まる。一方、背面に背中をつけるようにして利用者が直立している場合、頭の少し上から足の先付近までの範囲が画角に収まる。
【００８５】
このように、カメラ５１が上カメラの状態にある場合、頭上の余白の幅は立ち位置によってあまり変わらないが、下半身の写る範囲が大きく異なる。すなわち、ステップ４３の側面につま先をあてて直立した場合には膝の上付近までの範囲が写り、背面に背中をつけるようにして直立した場合には足の先付近までの範囲が写る。
【００８６】
カメラ５１が上カメラの状態にある場合、カメラ５１により撮影される範囲はこのような範囲になるが、斜め上から撮影が行われることから、下の方になるにつれて体が小さくいわば逆三角形に写り、顔や上半身とのバランスが悪くなる。
【００８７】
そこで、写真シール機１においては、上カメラの状態にあるとき、カメラ５１により撮影された画像のトリミングが行われ、体の下の方が写っている、下から所定の幅の範囲がカットされるようになされている。上カメラの状態にあるカメラ５１により撮影された全ての画像を対象としてトリミングが行われることにより、ライブビューモニタ５３にはトリミング後の画像が表示される。
【００８８】
図１７の位置Ｐ11と位置Ｐ14を結ぶ点線はトリミング後の画像に写る範囲の下限を示す。トリミングが行われることにより、トリミング後の画像には、ステップ４３の側面につま先をあてて利用者が直立している場合には頭の少し上から腰の上付近までの範囲が写り、背面に背中をつけるようにして利用者が直立している場合には頭の少し上から膝の上付近までの範囲が写る。
【００８９】
図１８は、上カメラの状態にあるカメラ５１により撮影された画像の例を示す図である。
【００９０】
図１８に示される画像はトリミング前の原画像であり、この原画像にはステップ４３の側面につま先をあてて直立している２人の女性が並んで写っている。右側の女性の身長が１０代後半の平均的な女性の身長であり、上述したように、撮影された画像には頭の少し上から膝の上付近までの範囲が写っている。
【００９１】
図１９は、トリミングによって抽出される範囲の例を示す図である。
【００９２】
例えば、図１９に示されるように、太線Ｌ1で囲まれる範囲がトリミングによって抽出される。図１９の例においては、画像全体のうちの下から約１／４の範囲をカットするとともに、トリミング前の原画像の縦横の比率とトリミング後の画像の縦横の比率が同じ比率になるように、左右の所定の幅をカットし、残りの範囲を抽出するような範囲が設定されている。画像の上側を残し、下側と左右の所定の幅をカットするこのトリミングの範囲は固定の範囲とされる。
【００９３】
図２０は、図１８の画像を対象としてトリミングを行うことによって抽出されたトリミング後の画像の例を示す図である。
【００９４】
図２０に示されるように、トリミング後の画像には頭の少し上から腰の上付近までの範囲が写る。この画像は、図１９の画像全体のうちの太線Ｌ1で囲まれる範囲を拡大したものに相当する。このようにしてトリミングが行われることによって得られたトリミング後の画像が、ライブビューモニタ５３に表示されたり、撮影画像として編集の対象とされたりする。
【００９５】
トリミング後の画像がライブビューモニタ５３に表示されるのではなく、原画像に重ねて、図１９に示されるようなトリミングの範囲を表す枠をライブビューモニタ５３に表示させるようにしてもよいし、原画像全体のうち、トリミングによって削除される部分を白ぬきなどで表示させないようにしてもよい。この場合、トリミングが施される画像は、撮影された撮影画像だけとなる。これにより、利用者はライブビューモニタ５３の表示からトリミングによって抜き出される範囲を容易に確認することができる。また、撮影画像だけを対象としてトリミングが行われるため、カメラ５１により取り込まれた全ての画像を対象としてトリミングが行われる場合に較べて処理負荷を軽減することができる。
【００９６】
カメラ５１に近づきすぎると顔が切れてライブビューモニタ５３に表示されるため、利用者にはカメラ５１から自然と遠ざかって撮影しようとする意識がはたらくことになる。
【００９７】
なお、原画像の上方の範囲を全く取り除かないのではなく、上から所定の幅の範囲も取り除かれるようにしてもよい。このとき、原画像の上から所定の幅の範囲は、上述したようにして取り除くことの対象となる、原画像の下から所定の幅の範囲より狭い範囲となる。
【００９８】
図２１は、上カメラの状態にあるカメラ５１により撮影された画像の他の例を示す図である。
【００９９】
図２１に示される画像もトリミング前の原画像であり、この原画像には背面に背中をつけるようにして直立している２人の女性が並んで写っている。右側の女性の身長が１０代後半の平均的な女性の身長であり、上述したように、撮影された画像には頭の少し上から足の先付近までの範囲が写っている。利用者の立ち位置がカメラ５１から離れている場合、図２１に示されるように、下の方になるにつれて体が小さく写り、顔や上半身とのバランスが悪くなる現象が図１８の画像と較べて顕著になる。
【０１００】
図２２は、トリミングによって抽出される範囲の例を示す図である。
【０１０１】
図２２に示されるように、固定の範囲である太線Ｌ1で囲まれる範囲に従ってトリミングが行われる。
【０１０２】
図２３は、図２１の画像を対象としてトリミングを行うことによって抽出されたトリミング後の画像の例を示す図である。
【０１０３】
図２３に示されるように、トリミング後の画像には頭の少し上から膝の上付近までの範囲が写る。この画像は、図２２の画像全体のうちの太線Ｌ1で囲まれる範囲を拡大したものに相当する。
【０１０４】
このようにしてトリミングが行われることにより、カメラ５１から離れた位置に立って撮影を行った場合であっても、利用者は、バランスのよい、カメラに近づいたようなアップ画像を容易に得ることができる。写真シール機１側としては、満足のいく撮影画像を利用者に提供することができる。
【０１０５】
以上のようなトリミングは、カメラ５１が上カメラの状態にあるときにのみ行われ、中カメラの状態にあるときには行われないようにしてもよいし、中カメラの状態にあるときであっても、上カメラの状態にあるときに取り除くことの対象となる範囲より狭い範囲を取り除くようにして行われるようにしてもよい。
【０１０６】
次に、編集ユニット１３の構成について説明する。
【０１０７】
図２４は、編集ユニット１３の編集空間Ａ側の構成例を示す図である。
【０１０８】
図２４に示されるように、編集ユニット１３の編集空間Ａ側には編集部Ａが設けられる。編集部Ａにはタブレット内蔵モニタ２１Ａが設けられ、その左右に、タッチペン２２Ａ1，２２Ａ2がそれぞれ用意される。タブレット内蔵モニタ２１Ａは、タッチペン２２Ａ1，２２Ａ2により位置情報を入力可能なタブレットと、編集の対象とする撮影画像を表示可能なLCD等のモニタから構成される。
【０１０９】
編集部Ａの上方には、カーテンで囲まれているために暗くなる編集空間Ａを照らすための照明２４が設けられている。編集ユニット１３の編集空間Ｂ側の構成も図２４に示される構成と同様の構成を有する。
【０１１０】
図２５は、編集ユニット１３のシール紙排出口２３が設けられている側の構成例を示す図である。
【０１１１】
編集ユニット１３にはプリンタが内蔵されている。編集作業が行われることによって得られた編集済みの画像がそのプリンタによりシール紙に印刷され、編集済みの画像が印刷されたシール紙がシール紙排出口２３から排出される。
【０１１２】
次に、写真シール機１の内部の構成について説明する。
【０１１３】
図２６は、写真シール機１の内部のハードウエア構成例を示すブロック図である。上述した構成と同じ構成には同じ符号を付してある。重複する説明については適宜省略する。
【０１１４】
制御装置１０１は写真シール機１の装置全体を制御する。制御装置１０１には、記憶部１０２、通信部１０３、ドライブ１０４、ROM(Read Only Memory)１０６、RAM(Random Access Memory)１０７、プリンタ１０８、撮影部１１０、および、編集部Ａ，Ｂの各構成が接続される。
【０１１５】
記憶部１０２は、例えばハードディスクやフラッシュメモリ等の不揮発性の記憶媒体からなり、制御装置１０１から供給される各種の情報をその記憶媒体に記憶させる。記憶部１０２に記憶されている情報は制御装置１０１により適宜読み出される。
【０１１６】
通信部１０３は、インターネットなどのネットワークを介して、あるいは赤外線等にて、他の装置と通信を行う。
【０１１７】
ドライブ１０４には、光ディスクや半導体メモリなどのリムーバブルメディア１０５が適宜装着され、それらから読み出されたコンピュータプログラムやデータが、必要に応じて制御装置１０１に供給され、記憶部１０２に記憶されたり、インストールされたりする。
【０１１８】
ROM１０６には、制御装置１０１において実行されるプログラムやデータが予め記憶される。ROM１０６に記憶されているデータは制御装置１０１により適宜読み出される。RAM１０７は、制御装置１０１が処理するデータやプログラムを一時的に保持する。
【０１１９】
プリンタ１０８は、制御装置１０１から供給された印刷データによって表される編集済みの画像を、シール紙ユニット１０９に収納されているシール紙１４１に印刷する。プリンタ１０８は、編集済みの画像を印刷したシール紙１４１をシール紙排出口２３から排出し、利用者に提供する。
【０１２０】
撮影部１１０は、撮影作業を利用者に行わせるための処理を行うブロックであり、上述したタッチパネルモニタ４０、カメラ５１、ライブビューモニタ５３の他に、硬貨処理部１２１、背景カーテン１２２、ストロボ装置１２３、カメラ周りユニット駆動部１２４、およびスピーカ１２５から構成される。
【０１２１】
タッチパネルモニタ４０はモニタとタッチパネルが重畳して構成される。タッチパネルモニタ４０は、制御装置１０１から供給されるRGB信号に基づいて各種の画面を表示するとともに、利用者による操作の内容を検出し、検出した操作の内容を表す入力信号を制御装置１０１に出力する。制御装置１０１からタッチパネルモニタ４０に対しては、撮影作業の進め方を利用者に案内する画面などを表示させるためのRGB信号が供給される。画面には各種のボタンが設けられ、利用者は必要に応じてボタンを操作して撮影作業を進める。
【０１２２】
カメラ５１は、撮影作業を行っている利用者を被写体として撮影し、撮影して得られた画像データを制御装置１０１に出力する。例えば、カメラ５１は、静止画像である撮影画像の撮影が利用者により指示される前、ライブビュー表示用の動画像を取り込み、取り込んだ動画像の画像データを制御装置１０１に出力する。また、カメラ５１は、撮影の開始が利用者により指示され、所定のタイミングになったときに制御装置１０１から供給されてくるシャッタ信号に応じて撮影画像を取得し、静止画像である撮影画像の画像データを制御装置１０１に出力する。
【０１２３】
ライブビューモニタ５３は、カメラ５１により取り込まれた動画像のRGB信号が制御装置１０１から供給されたとき、供給されたRGB信号に基づいてライブビューを表示させる。
【０１２４】
硬貨処理部１２１は、制御装置１０１からの起動信号に応じて起動し、所定の代金分の硬貨が硬貨投入返却口４１に投入されたとき、そのことを表す信号を制御装置１０１に出力する。制御装置１０１においては、硬貨処理部１２１から信号が供給されてくることに応じて、ゲームを提供する一連の処理が開始される。
【０１２５】
背景カーテン１２２は、制御装置１０１から供給される背景制御信号に応じて、撮影作業において利用者の背景として用いられるカーテンの上げ下げを行う。写真シール機１には色や柄の異なる複数のカーテンが用意されており、利用者は、好みのカーテンを選択し、選択したカーテンを背景として撮影を行うことができるようになされている。複数のカーテンではなく、単数のカーテンが用意されるようにしてもよく、その方式は昇降式・吊下げ式のいずれの方式でもよい。また、クロマキ用の１枚のカーテンを予め撮影空間の背面に張り付けるとともに、合成用の背景画像を複数種類用意し、利用者が所望する背景画像をカーテンの部分に合成することができるようにしてもよい。
【０１２６】
ストロボ装置１２３は、制御装置１０１から供給される照明制御信号に基づいて、上ストロボユニット３３乃至下ストロボユニット３８、足元ストロボユニット４２、天井ストロボ１２、およびストロボユニット５２の発光を制御する。
【０１２７】
カメラ周りユニット駆動部１２４は、制御装置１０１から供給される指示信号に応じてモータなどを駆動させ、カメラ周りユニット３２を上下方向に移動させたり、カメラ５１の光軸の角度を変えたりする。カメラ周りユニット駆動部１２４は、カメラ周りユニット３２の位置を表す移動信号を制御装置１０１に出力する。
【０１２８】
スピーカ１２５は、制御装置１０１から供給される音声信号に基づいて、撮影作業の進め方を案内する音声や、効果音などを出力する。
【０１２９】
編集部Ａのタブレット内蔵モニタ２１Ａは、編集用モニタ１３１と、編集用モニタ１３１に重畳されたタブレット１３２から構成される。タブレット内蔵モニタ２１Ａは、制御装置１０１より供給されるRGB信号に基づいて編集画面を表示させる。編集画面には、撮影作業を終えた利用者により選択された編集対象の撮影画像や、編集対象の撮影画像に対して入力するペン画像やスタンプ画像を選択するためのボタンなどが表示される。また、タブレット内蔵モニタ２１Ａは、タッチペン２２Ａ1，２２Ａ2を用いて利用者により行われる編集操作の内容を検出し、検出した操作の内容を表す入力信号を制御装置１０１に出力する。
【０１３０】
スピーカ１３３は、制御装置１０１から供給される音声信号に基づいて、編集作業の進め方を案内する音声や、効果音などを出力する。編集部Ｂも編集部Ａと同様の構成を有する。
【０１３１】
図２７は、制御装置１０１の機能構成例を示すブロック図である。
【０１３２】
図２７に示される構成のうちの少なくとも一部は、制御装置１０１により所定のプログラムが実行されることによって実現される。図２７に示されるように、制御装置１０１においては、カメラ位置制御部１５１、ライブビュー表示制御部１５２、および発光制御部１５３が実現される。
【０１３３】
カメラ位置制御部１５１は、タッチパネルモニタ４０に表示される選択画面に対する利用者の入力に応じて、カメラ５１の高さをカメラ周りユニット駆動部１２４に制御させる。選択画面には、カメラ５１を上カメラの状態として撮影を行うときに押されるボタンと、カメラ５１を中カメラの状態として撮影を行うときに押されるボタンが表示される。
【０１３４】
カメラ位置制御部１５１は、カメラ５１が上カメラの状態であるのか中カメラの状態であるのかを表す信号を出力する。カメラ位置制御部１５１から出力された信号はライブビュー表示制御部１５２と発光制御部１５３にそれぞれ供給される。
【０１３５】
ライブビュー表示制御部１５２は、カメラ位置制御部１５１から供給された信号により表されるカメラ５１の状態に応じてライブビューの表示を制御する。例えば、ライブビュー表示制御部１５２は、カメラ５１が上カメラの状態にあるとき、カメラ５１により取り込まれ、画像データとして供給された動画像を構成するそれぞれの静止画像を上述したようにして固定の範囲に従ってトリミングし、トリミング後の静止画像からなる動画像の信号をライブビューモニタ５３に出力する。
【０１３６】
また、ライブビュー表示制御部１５２は、カメラ５１が中カメラの状態にあるとき、カメラ５１により取り込まれ、画像データとして供給された動画像をその画角のまま表示するための信号をライブビューモニタ５３に出力する。
【０１３７】
発光制御部１５３は、カメラ位置制御部１５１から供給された信号により表されるカメラ５１の状態に応じて照明制御信号をストロボ装置１２３に出力し、上ストロボユニット３３乃至下ストロボユニット３８、足元ストロボユニット４２、天井ストロボ１２およびストロボユニット５２の発光を制御させる。
【０１３８】
例えば、発光制御部１５３は、カメラ５１が上カメラの状態にあるとき、ストロボユニット５２は発光させずに、上ストロボユニット３３乃至下ストロボユニット３８、足元ストロボユニット４２、天井ストロボ１２を撮影と同時に発光させ、カメラ５１が中カメラの状態にあるとき、上ストロボユニット３３乃至下ストロボユニット３８、足元ストロボユニット４２、天井ストロボ１２、およびストロボユニット５２を撮影と同時に発光させる。
【０１３９】
図２７に示される構成の他に、撮影作業を行わせるための構成、編集作業を行わせるための構成、印刷を行う構成などが制御装置１０１においては実現される。
【０１４０】
ここで、以上のような構成を有する写真シール機１の処理について説明する。
【０１４１】
はじめに、図２８のフローチャートを参照して、写真シール作成ゲームの流れについて説明する。
【０１４２】
ステップＳ１において、制御装置１０１は、硬貨処理部１２１からの信号に基づいて、硬貨が投入されたか否かを判定し、硬貨が投入されたと判定するまで待機する。写真シール作成ゲームを行う利用者は、撮影空間に入り、前方ユニット１１Ａの硬貨投入返却口４１に硬貨を入れる。硬貨処理部１２１は、所定の代金の分の硬貨が投入されたとき、そのことを表す信号を制御装置１０１に出力する。
【０１４３】
制御装置１０１は、硬貨が投入されたとステップＳ１において判定した場合、ステップＳ２において、撮影コースを選択するのに用いられる画面をタッチパネルモニタ４０に表示させ、撮影コースを利用者に選択させる。
【０１４４】
撮影コースとして、例えばおすすめ撮影コース（コースＡ）とこだわり撮影コース（コースＢ）が用意される。おすすめ撮影コースはカメラ５１を上カメラの状態として撮影するか中カメラの状態として撮影するかを基本的には写真シール機１が選択して撮影を行うコースであり、こだわり撮影コースはカメラ５１を上カメラの状態として撮影するか中カメラの状態として撮影するかを基本的には利用者自身が選択して撮影を行うコースである。
【０１４５】
コースＡであるおすすめ撮影コースが選択されたとき、ステップＳ３において、制御装置１０１はおすすめ撮影コースによる撮影を利用者に行わせる処理であるおすすめ撮影処理を行う。おすすめ撮影処理の詳細については図２９のフローチャートを参照して後述する。
【０１４６】
一方、コースＢであるこだわり撮影コースが選択されたとき、ステップＳ４において、制御装置１０１はこだわり撮影コースによる撮影を利用者に行わせる処理であるこだわり撮影処理を行う。こだわり撮影処理の詳細については図３２のフローチャートを参照して後述する。
【０１４７】
ステップＳ５において、制御装置１０１は、タッチパネルモニタ４０の画面やスピーカ１２５からの音声によって、撮影作業を終えた利用者に対して編集空間Ａまたは編集空間Ｂへの移動を案内する。
【０１４８】
ステップＳ６において、制御装置１０１は、編集空間Ａまたは編集空間Ｂに移動した利用者に編集作業を行わせる処理である編集処理を行う。
【０１４９】
ステップＳ７において、制御装置１０１は、プリンタ１０８を制御し、編集作業により得られた編集済みの画像をシール紙１４１に印刷する処理である印刷処理を行う。
【０１５０】
ステップＳ８において、制御装置１０１は、印刷が終了するのを待機している利用者に対してミニゲームなどを提供する処理である事後接客処理を行う。また、ミニゲームに限らず、撮影画像あるいは編集済み画像を利用者等の携帯電話の表示部に表示させるため、通信部１０３を介して撮影画像あるいは編集済み画像を送信するためのメールアドレス入力、画像選択等の各種操作を利用者にさせるようにしてもよい。
【０１５１】
ステップＳ９において、制御装置１０１は、シール紙排出口２３の前方の受取領域への移動を利用者に案内する。
【０１５２】
シール紙１４１への印刷が終了したとき、ステップＳ１０において、制御装置１０１は、編集済みの画像が印刷されたシール紙１４１をシール紙排出口２３に排出し、一連の写真シール作成ゲーム処理を終了させる。
【０１５３】
次に、図２９のフローチャートを参照して、図２８のステップＳ３において行われるおすすめ撮影処理について説明する。
【０１５４】
おすすめ撮影処理が開始された直後のカメラ５１の状態は例えば中カメラの状態になっており、カメラ５１により取り込まれた動画像がその画角のままライブビューモニタ５３に表示されることによってライブビューの表示が開始される。利用者は、ライブビューの表示を見ながらステップ４３を利用するなどして立ち位置を決定し、タッチパネルモニタ４０の表示に従って撮影作業を進める。
【０１５５】
ステップＳ２１において、制御装置１０１は、タッチパネルモニタ４０に対する利用者の入力に応じて、カメラ５１の写り、明るさを調整する。
【０１５６】
ステップＳ２２において、制御装置１０１は、カメラ５１により撮影された画像に合成するのに用いる合成用画像をタッチパネルモニタ４０に複数種類表示させ、その中から、好みの合成用画像を利用者に選択させる。合成用画像として、クロマキ処理などによって抽出された被写体の領域の背景として重ねて合成する画像である背景画像と、被写体の領域の前景として重ねて合成する画像である前景画像が用意される。
【０１５７】
図３０は、合成用画像の選択に用いられる画面の例を示す図である。
【０１５８】
図３０に示される画面の中央付近に縦方向に３つ、横方向に５つずつ並べて表示される１５個の枠の位置には、それぞれ、合成用画像のサンプルが表示される。利用者は、合成用画像のサンプルを指で直接触れることによって合成用画像を選択することができる。
【０１５９】
図３０の例においては、画面の上方に「撮りたいイメージを２つ選んでね」のメッセージが表示されており、利用者は２種類の合成用画像を選択することができるものとされている。利用者により選択された合成用画像のサンプルは画面右端に縦方向に並べられた２つの枠の位置に表示される。
【０１６０】
利用者は、このような画面から好みの合成用画像を選択し、撮影作業を進める。ライブビュー表示される画像は、カメラ５１により取り込まれた画像に対して合成用画像を合成することによって得られた合成画像となる。
【０１６１】
合成用画像の選択が終了したとき、ステップＳ２３において、制御装置１０１のカメラ位置制御部１５１は、カメラ５１の位置（高さ）を所定の高さに変更するようにカメラ周りユニット３２の位置をカメラ周りユニット駆動部１２４に制御させる。
【０１６２】
ステップＳ２４において、制御装置１０１は、タッチパネルモニタ４０にカウントダウンインジケータを表示させる。また、制御装置１０１は、カウントダウンインジケータにより表される撮影までの残り時間が０秒になったとき、撮影を行い、撮影画像を得る。
【０１６３】
ステップＳ２５において、制御装置１０１は、カメラ５１の高さを写真シール機１が選択して行う撮影を所定の回数だけ行ったか否かを判定する。
【０１６４】
そのような撮影を所定の回数だけ行っていない、すなわち、撮影可能回数が残っているとステップＳ２５において判定した場合、制御装置１０１は、ステップＳ２２以降の処理を繰り返す。
【０１６５】
一方、カメラ５１の高さを写真シール機１が選択して行う撮影を所定の回数だけ行ったとステップＳ２５において判定した場合、ステップＳ２６において、制御装置１０１は、選択画面をタッチパネルモニタ４０に表示し、カメラ５１の高さを利用者に選択させる。
【０１６６】
図３１は、カメラ５１の高さの選択に用いられる画面の例を示す図である。
【０１６７】
図３１の例においては、「どっちのカメラで撮影する？」のメッセージが画面の上方に表示されており、利用者はメッセージの下に表示されるボタン２０１とボタン２０２のいずれかのボタンを押すことによって、カメラ５１を上カメラの状態として撮影するのか、中カメラの状態として撮影するのかを選択することができるものとされている。ボタン２０１はカメラ５１を上カメラの状態として撮影することを選択するときに押されるボタンであり、ボタン２０２はカメラ５１を中カメラの状態として撮影することを選択するときに押されるボタンである。
【０１６８】
利用者は、このような画面からカメラ５１の高さを自ら選択し、撮影作業を進める。
【０１６９】
ステップＳ２７において、制御装置１０１のカメラ位置制御部１５１は、カメラ５１の高さが利用者により選択された高さになるようにカメラ周りユニット駆動部１２４に制御させる。上カメラが選択され、カメラ周りユニット３２の移動が終了したとき、カメラ５１により取り込まれた動画像を構成するそれぞれの静止画像に対して、制御装置１０１のライブビュー表示制御部１５２によりトリミングが施される。ライブビューモニタ５３には、トリミング後の静止画像からなる動画像が表示される。
【０１７０】
ステップＳ２８において、制御装置１０１は、図３０に示される画面と同じ画面を表示するなどして合成用画像を利用者に選択させる。合成用画像が選択された後、ライブビュー表示される画像は、カメラ５１により取り込まれた画像に対して合成用画像を合成することによって得られた合成画像となる。
【０１７１】
ステップＳ２９において、制御装置１０１は、タッチパネルモニタ４０にカウントダウンインジケータを表示させる。また、制御装置１０１は、カウントダウンインジケータにより表される撮影までの残り時間が０秒になったとき、撮影を行い、撮影画像を得る。
【０１７２】
撮影時においてカメラ５１が上カメラの状態にあるときには、発光制御部１５３による制御に従って、ストロボユニット５２は発光せずに、上ストロボユニット３３乃至下ストロボユニット３８、足元ストロボユニット４２、天井ストロボ１２が発光する。また、撮影画像として、トリミング後の画像が得られる。一方、撮影時においてカメラ５１が中カメラの状態にあるときには、発光制御部１５３による制御に従って、上ストロボユニット３３乃至下ストロボユニット３８、足元ストロボユニット４２、天井ストロボ１２、およびストロボユニット５２が発光する。また、撮影画像として、撮影されたままの画角の画像が得られる。
【０１７３】
ステップＳ３０において、制御装置１０１は、カメラ５１の高さを利用者が選択して行う撮影を所定の回数だけ行ったか否かと、撮影作業に割り当てられた制限時間が経過したか否かを判定する。
【０１７４】
カメラ５１の高さを利用者が選択して行う撮影を所定の回数だけ行っておらず、かつ、撮影作業に割り当てられた制限時間が経過していないとステップＳ３０において判定した場合、制御装置１０１はステップＳ２６以降の処理を繰り返す。
【０１７５】
一方、カメラ５１の高さを利用者が選択して行う撮影を所定の回数だけ行ったと判定した場合、または、撮影作業に割り当てられた制限時間が経過したとステップＳ３０において判定した場合、ステップＳ３１において、制御装置１０１は、編集対象の画像とする撮影画像（キープ画像）を撮影画像全体の中から利用者に選択させ、選択された撮影画像を保存する。その後、図２８のステップＳ３に戻り、それ以降の処理が行われる。
【０１７６】
次に、図３２のフローチャートを参照して、図２８のステップＳ４において行われるこだわり撮影処理について説明する。
【０１７７】
ステップＳ４１において、制御装置１０１は、タッチパネルモニタ４０に対する利用者の入力に応じて、カメラ５１の写り、明るさを調整する。
【０１７８】
ステップＳ４２において、制御装置１０１は、選択画面をタッチパネルモニタ４０に表示し、カメラ５１の高さを利用者に選択させる。
【０１７９】
図３３は、カメラ５１の高さの選択に用いられる画面の例を示す図である。
【０１８０】
図３３の例においては、「撮影するカメラを６枚分選んでね。」のメッセージが画面の上方に表示されており、利用者はメッセージの下に表示されるボタン２１１、ボタン２１２、ボタン２１３のいずれかのボタンを押すことによって、６枚の撮影画像を、カメラ５１を上カメラの状態として撮影するのか、中カメラの状態として撮影するのかを選択することができるものとされている。ボタン２１１はカメラ５１を上カメラの状態として６枚分撮影することを選択するときに押されるボタンであり、ボタン２１２はカメラ５１を中カメラの状態として６枚分撮影することを選択するときに押されるボタンである。ボタン２１３は、カメラ５１を上カメラの状態として３枚分撮影し、中カメラの状態として３枚分撮影することを選択するときに押されるボタンである。
【０１８１】
利用者は、このような画面からカメラ５１の高さを自ら選択し、撮影作業を進める。
【０１８２】
ステップＳ４３において、制御装置１０１のカメラ位置制御部１５１は、カメラ５１の高さが利用者により選択された高さになるようにカメラ周りユニット駆動部１２４に制御させる。
【０１８３】
ステップＳ４４において、制御装置１０１は、図３０に示される画面と同じ画面を表示するなどして合成用画像を利用者に選択させる。
【０１８４】
ステップＳ４５において、制御装置１０１は、タッチパネルモニタ４０にカウントダウンインジケータを表示させる。また、制御装置１０１は、カウントダウンインジケータにより表される撮影までの残り時間が０秒になったとき、撮影を行い、撮影画像を得る。
【０１８５】
ステップＳ４６において、制御装置１０１は、６回などの所定の回数だけ撮影を行ったか否かと、撮影作業に割り当てられた制限時間が経過したか否かを判定する。
【０１８６】
所定の回数だけ撮影を行っておらず、かつ、撮影作業に割り当てられた制限時間が経過していないとステップＳ４６において判定した場合、制御装置１０１はステップＳ４２以降の処理を繰り返す。
【０１８７】
一方、所定の回数だけ撮影を行ったと判定した場合、または、撮影作業に割り当てられた制限時間が経過したとステップＳ４６において判定した場合、ステップＳ４７において、制御装置１０１は、６枚の撮影画像の中から、編集対象とする撮影画像（キープ画像）を利用者に選択させ、選択された撮影画像を保存する。その後、図２８のステップＳ４に戻り、それ以降の処理が行われる。
【０１８８】
以上の処理により、利用者はカメラ５１の高さを適宜変更することで色々な撮影を行うことができる。写真シール機１側としても、娯楽性のあるゲームを提供しつつ、カメラ５１の高さに応じた写りのよい撮影画像を提供することができる。
【０１８９】
ここで、カメラ５１を上下に移動させる構成について説明する。
【０１９０】
図３４は、カメラ５１を上下に移動させる構成の例を示す図である。
【０１９１】
図３４に示されるように、カメラ５１を上下に移動させる構成として例えばバネ２２１が用いられる。バネ２１１は、カメラ５１の移動負荷を減少させるものである。
【０１９２】
カメラ５１の重さによって生じる下方向の力をＷ１とし、カメラの上下動作位置の中心位置を基本位置とする。特徴として、バネ２２１の張力Ｓ１にて負荷を軽減する為、上部位置・中心位置・下部位置にてモータ２２２に対する負荷が変化する。起動時は、負荷が０になればなるほど、モータ負荷が軽減する。停止時の負荷は、移動方向に対する逆方向の負荷が増加することによりブレーキ効果が発生する。
【０１９３】
１．中心位置（ホームポジション）
（１）中心位置の荷重バランス：
下式に示されるように中心位置にカメラ荷重とバネ力を合わす設計とする。
Ｗp＝Ｗ１−Ｓp＝Ｗ１−（ｋＬp）＝０
（２）中心位置モータトルク：
Ｔｐ＝Ｗp1＝０
カメラ荷重とバネ荷重を合わせており、モータ２２２の負荷を軽減することが可能となる。
（３）中心位置負荷：
Ｆ＝Ｍａ＝０
バネ２２１により荷重バランスを合わせており、負荷を軽減することが可能となる。
【０１９４】
２．上部位置
（１）上部位置の荷重バランス：
Ｗu＝Ｗ１−Ｓu＝Ｗ１−（ｋＬu）
バネ２２１によりカメラ荷重を軽減する機能を有する。
（２）上部位置のモータトルク：
Ｔu＝Ｗｕ×ｒ１＝Ｗ１ｒ１−ｋＬuｒ１
バネ２２１により上部位置でのモータトルク負荷を軽減している。
（３）上部位置の荷重：
Ｆu＝Ｗu×ａ＝Ｗ１ａ−ｋＬuａ
カメラ荷重よりバネ荷重が軽い為、上部位置より下部位置へ移動する際、上記負荷が加速に影響する。
【０１９５】
３．下部位置
（１）下部位置の荷重バランス：
Ｗd＝ｋＬd−Ｗu
バネ２２１を中心位置より引っ張る力が負荷になる。
（２）下部位置のモータトルク：
Ｔd＝（ｋＬｄ−Ｗu）ｒ１
バネ負荷に対し、カメラ荷重が補助し、負荷を軽減する。
（３）下部位置の荷重：
Ｆd＝（ｋＬd−Ｗu）a
【０１９６】
このような構成を採用することにより、起動時には、モータ荷重が０となる為、モータ負荷が軽減すると共に、起動動作が速く動く結果となる。また、停止時には、上方向・下方向とも、負荷荷重がブレーキ荷重になっており、減速ギアの負荷軽減となり、寿命が延長する。
【０１９７】
また、カメラ５１の位置の移動にかかる時間を短縮することができ、写真シール機１の運用時間が短縮される。また、カメラ５１の位置の移動に使用するモータ２２２を小型化することが可能となり、写真シール機１を小型化できる。カメラ５１の位置を移動させる装置が軽量化されことになる。
【０１９８】
上述した一連の処理は、ハードウエアにより実行することもできるし、ソフトウエアにより実行することもできる。一連の処理をソフトウエアにより実行する場合には、そのソフトウエアを構成するプログラムが、専用のハードウエアに組み込まれているコンピュータ、または、各種のプログラムをインストールすることで、各種の機能を実行することが可能な汎用のパーソナルコンピュータなどにインストールされる。
【０１９９】
インストールされるプログラムは、光ディスク（CD-ROM(Compact Disc-Read Only Memory)，DVD(Digital Versatile Disc)等）や半導体メモリなどよりなる図２６に示されるリムーバブルメディア１０５に記録して、あるいは、ローカルエリアネットワーク、インターネット、デジタル放送といった、有線または無線の伝送媒体を介して提供される。プログラムは、記憶部１０２やROM１０６に、あらかじめインストールしておくことができる。
【０２００】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０２０１】
本発明の実施の形態は、上述した実施の形態に限定されるものではなく、本発明の要旨を逸脱しない範囲において種々の変更が可能である。
【図面の簡単な説明】
【０２０２】
【図１】本発明の一実施形態に係る写真シール機の外観の例を示す図である。
【図２】図１の写真シール機を編集ユニット側から見た斜視図である。
【図３】写真シール機を上から見た平面図である。
【図４】前方ユニットの撮影空間側の面の構成例を示す図である。
【図５】中カメラの状態にあるカメラの近傍を示す図である。
【図６】図５の一点鎖線上の断面図である。
【図７】上カメラの状態にあるカメラの近傍を示す図である。
【図８】図７の一点鎖線上の断面図である。
【図９】上カメラの状態にある前方ユニットの撮影空間側の面の構成例を示す図である。
【図１０】前方ユニットを上から見た図である。
【図１１】ステップの断面図である。
【図１２】利用者の立ち位置を示す図である。
【図１３】利用者の立ち位置を示す他の図である。
【図１４】利用者の立ち位置を示すさらに他の図である。
【図１５】中カメラの状態にあるときの撮影の様子を示す図である。
【図１６】中カメラの状態にあるカメラの画角の例を示す図である。
【図１７】上カメラの状態にあるカメラの画角の例を示す図である。
【図１８】上カメラの状態にあるカメラにより撮影された画像の例を示す図である。
【図１９】トリミングによって抽出される範囲の例を示す図である。
【図２０】トリミング後の画像の例を示す図である。
【図２１】上カメラの状態にあるカメラにより撮影された画像の他の例を示す図である。
【図２２】トリミングによって抽出される範囲の例を示す図である。
【図２３】トリミング後の画像の他の例を示す図である。
【図２４】編集ユニットの編集空間Ａ側の構成例を示す図である。
【図２５】編集ユニットのシール紙排出口が設けられている側の構成例を示す図である。
【図２６】写真シール機のハードウエア構成例を示すブロック図である。
【図２７】制御装置の機能構成例を示すブロック図である。
【図２８】写真シール作成ゲームの流れについて説明するフローチャートである。
【図２９】図２８のステップＳ３において行われるおすすめ撮影処理について説明するフローチャートである。
【図３０】合成用画像の選択に用いられる画面の例を示す図である。
【図３１】カメラの高さの選択に用いられる画面の例を示す図である。
【図３２】図２８のステップＳ４において行われるこだわり撮影処理について説明するフローチャートである。
【図３３】カメラの高さの選択に用いられる画面の例を示す図である。
【図３４】カメラを上下に移動させる構成の例を示す図である。
【符号の説明】
【０２０３】
１  写真シール機
３２  カメラ周りユニット
３３  上ストロボユニット
４３  ステップ
５１  カメラ
５２  ストロボユニット
５３  ライブビューモニタ
１５１  カメラ位置制御部
１５２  ライブビュー表示制御部
１５３  発光制御部
【図１】
0005455309.tif 000002
【図２】
0005455309.tif 000003
【図３】
0005455309.tif 000004
【図４】
0005455309.tif 000005
【図５】
0005455309.tif 000006
【図６】
0005455309.tif 000007
【図７】
0005455309.tif 000008
【図８】
0005455309.tif 000009
【図９】
0005455309.tif 000010
【図１０】
0005455309.tif 000011
【図１１】
0005455309.tif 000012
【図１２】
0005455309.tif 000013
【図１３】
0005455309.tif 000014
【図１４】
0005455309.tif 000015
【図１５】
0005455309.tif 000016
【図１６】
0005455309.tif 000017
【図１７】
0005455309.tif 000018
【図１８】
0005455309.tif 000019
【図１９】
0005455309.tif 000020
【図２０】
0005455309.tif 000021
【図２１】
0005455309.tif 000022
【図２２】
0005455309.tif 000023
【図２３】
0005455309.tif 000024
【図２４】
0005455309.tif 000025
【図２５】
0005455309.tif 000026
【図２６】
0005455309.tif 000027
【図２７】
0005455309.tif 000028
【図２８】
0005455309.tif 000029
【図２９】
0005455309.tif 000030
【図３０】
0005455309.tif 000031
【図３１】
0005455309.tif 000032
【図３２】
0005455309.tif 000033
【図３３】
0005455309.tif 000034
【図３４】
0005455309.tif 000035